(57)【特許請求の範囲】
【請求項１】
モバイル通信のための方法であって、
第１のＩＰインタフェース・タイプに関連付けられた現在の通信セッションに、前記第１のＩＰインタフェース・タイプとは異なる第２のＩＰインタフェース・タイプを追加する要求を、モバイル・デバイスから受信することと、
前記モバイル・デバイスのホーム・ネットワークに関連づけられたローカル・モビリティ・アンカ（ＬＭＡ）からの、前記第２のＩＰインタフェース・タイプのＩＰアドレスのセットを要求することと、
前記ＬＭＡから、前記第２のＩＰインタフェース・タイプのＩＰアドレスのセットを受信することと、
前記モバイル・デバイスのために、前記受信した１または複数のＩＰアドレスを用いて、前記第２のＩＰインタフェース・タイプの１または複数のＩＰフローを確立することと、
前記第２のＩＰインタフェース・タイプの１または複数の新たな接続を、前記モバイル・デバイスの現在の通信セッションに関連付けることと、
前記モバイル・デバイスから、１または複数のＩＰフローを終了させる要求を受信することと、
アクティブなＩＰフローに関連付けられた１または複数のＩＰアドレスを識別しているとともに、前記１または複数の終了したＩＰフローに関連付けられた１または複数のＩＰアドレスを除外するプロキシ・バインディング・アップデート（ＰＢＵ）メッセージを生成することと、ここで、前記ＰＢＵメッセージからのＩＰアドレスを除外することは、除外されたＩＰアドレスが解放されることを示す、
前記生成されたＰＢＵメッセージを、前記モバイル・デバイスのホーム・ネットワークに関連付けられた前記ＬＭＡへ送ることと、
前記モバイル・デバイスに割り当てられたままのＩＰアドレスのリストを備えるプロキシ・バインディング・アクノレッジメント（ＰＢＡ）メッセージを、前記ＬＭＡから受信することと、
前記ＰＢＵメッセージにおいて除外されなかった１または複数のＩＰアドレスが前記ＰＢＡメッセージにおいて除外されるかどうか決定し、前記ＰＢＡメッセージにおいて除外された前記１または複数のＩＰアドレスを、前記ＬＭＡによって要求されていないＩＰアドレス解放として取り扱うことと、
前記ＰＢＵメッセージにおいて除外された前記１または複数のＩＰアドレスと前記ＰＢＡメッセージにおいて除外された前記１または複数のＩＰアドレスを解放することと、
前記終了したＩＰフローに関連付けられたプロキシ・モバイル・インターネット・プロトコル（ＰＭＩＰ）トンネルに関連付けられたアクティブなＩＰフローがもはや存在しない場合、前記ＰＭＩＰトンネルを閉じることとを備える方法。
【請求項２】
ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをローカル・モビリティ・アンカ（ＬＭＡ）から受信することと、
前記解放されたＩＰアドレスに関連付けられた１または複数のＩＰフローを終了させることと
をさらに備える、請求項１に記載の方法。
【請求項３】
前記第１のＩＰインタフェース・タイプはＩＰｖ４インタフェース・タイプであり、前記第２のＩＰインタフェース・タイプはＩＰｖ６インタフェース・タイプである請求項１または２に記載の方法。
【請求項４】
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたＬＭＡとの間の少なくとも１つのＰＭＩＰトンネルを含む請求項１または２に記載の方法。
【請求項５】
前記モバイル・デバイスの第１のＩＰインタフェース・タイプに関連付けられた現在の通信セッションに、前記第２のＩＰインタフェース・タイプを追加する要求を、前記モバイル・デバイスから受信することは、前記モバイル・デバイスからＩＰＣＰ−Ｃｏｎｆｉｇ−ＲｅｑメッセージおよびＩＰｖ６ＣＰ−Ｃｏｎｆｉｇ−Ｒｅｑメッセージのうちの１つのメッセージを受信することを含み、前記１つのメッセージは、前記第２のＩＰインタフェース・タイプのインジケータを含む請求項１または２に記載の方法。
【請求項６】
前記モバイル・デバイスのホーム・ネットワークからの、前記ＩＰアドレスのセットを要求することは、前記第２のＩＰインタフェース・タイプに関連付けられたベンダ特有オプションを有するＰＢＵメッセージを生成することを含む請求項１または２に記載の方法。
【請求項７】
前記モバイル・デバイスのホーム・ネットワークからの、前記ＩＰアドレスのセットを要求することは、複数の標準的なホーム・ネットワーク・プレフィクス・オプションを有する拡張ＰＢＵメッセージを生成することを含み、前記複数の標準的なホーム・ネットワーク・プレフィクス・オプションのうちの少なくとも１つは、前記第１のＩＰインタフェース・タイプに関連付けられた全てのＩＰアドレスを識別し、前記複数の標準的なホーム・ネットワーク・プレフィクス・オプションのうちの少なくとも１つは、前記第２のＩＰインタフェース・タイプに関連付けられたＩＰアドレスのための全ゼロ値を含む請求項１または２に記載の方法。
【請求項８】
前記第２のＩＰインタフェース・タイプのＩＰフローを、前記現在の通信セッションに関連付けることは、前記接続を、前記現在の通信セッションのＰＭＩＰトンネルに関連付けることを含む請求項１または２に記載の方法。
【請求項９】
前記第２のＩＰインタフェース・タイプのＩＰフローを、前記現在の通信セッションに関連付けることは、
前記第２のＩＰインタフェースのための新たなＰＭＩＰトンネルを生成することと、
前記ＩＰフローを、前記新たなＰＭＩＰトンネルに関連付けることとを含む請求項１または２に記載の方法。
【請求項１０】
無線通信システムであって、
プロセッサと、前記プロセッサに接続された通信構成要素とを備え、
前記プロセッサは、
第１のＩＰインタフェース・タイプに関連付けられた現在の通信セッションに、前記第１のＩＰインタフェース・タイプとは異なる第２のＩＰインタフェース・タイプを追加する要求を、モバイル・デバイスから受信し、
前記モバイル・デバイスのホーム・ネットワークに関連づけられたローカル・モビリティ・アンカ（ＬＭＡ）からの、前記第２のＩＰインタフェース・タイプのＩＰアドレスのセットを要求し、
前記ＬＭＡから、前記第２のＩＰインタフェース・タイプのＩＰアドレスのセットを受信し、
前記モバイル・デバイスのために、前記受信した１または複数のＩＰアドレスを用いて、前記第２のＩＰインタフェース・タイプの１または複数のＩＰフローを確立し、
前記第２のＩＰインタフェース・タイプの１または複数のＩＰフローを、前記モバイル・デバイスの現在の通信セッションに関連付け、
前記モバイル・デバイスから、１または複数のＩＰフローを終了させる要求を受信し、
アクティブなＩＰフローに関連付けられた１または複数のＩＰアドレスを識別しているとともに、前記１または複数の終了したＩＰフローに関連付けられた１または複数のＩＰアドレスを除外するプロキシ・バインディング・アップデート（ＰＢＵ）メッセージを生成し、ここで、前記ＰＢＵメッセージからのＩＰアドレスを除外することは、除外されたＩＰアドレスが解放されることを示す、
前記生成されたＰＢＵメッセージを、前記モバイル・デバイスのホーム・ネットワークに関連付けられた前記ＬＭＡへ送り、
前記モバイル・デバイスに割り当てられたままのＩＰアドレスのリストを備えるプロキシ・バインディング・アクノレッジメント（ＰＢＡ）メッセージを、前記ＬＭＡから受信し、
前記ＰＢＵメッセージにおいて除外されなかった１または複数のＩＰアドレスが前記ＰＢＡメッセージにおいて除外されるかどうか決定し、前記ＰＢＡメッセージにおいて除外された前記１または複数のＩＰアドレスを、前記ＬＭＡによって要求されていないＩＰアドレス解放として取り扱い、
前記ＰＢＵメッセージにおいて除外された前記１または複数のＩＰアドレスと前記ＰＢＡメッセージにおいて除外された前記１または複数のＩＰアドレスを解放し、
前記終了したＩＰフローに関連付けられたプロキシ・モバイル・インターネット・プロトコル（ＰＭＩＰ）トンネルに関連付けられたアクティブなＩＰフローがもはや存在しない場合、前記ＰＭＩＰトンネルを閉じるように構成された無線通信システム。
【請求項１１】
前記プロセッサは、
ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをローカル・モビリティ・アンカ（ＬＭＡ）から受信し、
前記解放されたＩＰアドレスに関連付けられた１または複数のＩＰフローを終了させる
ようにさらに構成された請求項１０に記載の無線通信システム。
【請求項１２】
前記第１のＩＰインタフェース・タイプはＩＰｖ４インタフェース・タイプであり、前記第２のＩＰインタフェース・タイプはＩＰｖ６インタフェース・タイプである請求項１０または１１に記載の無線通信システム。
【請求項１３】
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたＬＭＡとの間の少なくとも１つのＰＭＩＰトンネルを含む請求項１０または１１に記載の無線通信システム。
【請求項１４】
前記モバイル・デバイスの第１のＩＰインタフェース・タイプに関連付けられた前記現在の通信セッションに、前記第２のＩＰインタフェース・タイプを追加する要求を、前記モバイル・デバイスから受信するために、前記プロセッサはさらに、前記モバイル・デバイスからＩＰＣＰ−Ｃｏｎｆｉｇ−ＲｅｑメッセージおよびＩＰｖ６ＣＰ−Ｃｏｎｆｉｇ−Ｒｅｑメッセージのうちの１つのメッセージを受信するように構成され、前記１つのメッセージは、前記第２のＩＰインタフェース・タイプのインジケータを含む請求項１０または１１に記載の無線通信システム。
【請求項１５】
前記モバイル・デバイスのホーム・ネットワークからの、前記ＩＰアドレスのセットを要求するために、前記プロセッサはさらに、前記第２のＩＰインタフェース・タイプを識別するベンダ特有オプションを有するＰＢＵメッセージを生成するように構成された請求項１０または１１に記載の無線通信システム。
【請求項１６】
前記モバイル・デバイスのホーム・ネットワークからの、前記ＩＰアドレスのセットを要求するために、前記プロセッサはさらに、複数の標準的なホーム・ネットワーク・プレフィクス・オプションを有する拡張ＰＢＵメッセージを生成するように構成され、前記複数の標準的なホーム・ネットワーク・プレフィクス・オプションのうちの少なくとも１つは、前記第１のＩＰインタフェース・タイプに関連付けられた全てのＩＰアドレスを識別し、前記複数の標準的なホーム・ネットワーク・プレフィクス・オプションのうちの少なくとも１つは、前記第２のＩＰインタフェース・タイプに関連付けられたＩＰアドレスのための全ゼロ値を含む請求項１０または１１に記載の無線通信システム。
【請求項１７】
前記第２のＩＰインタフェース・タイプのＩＰフローを、前記現在の通信セッションに関連付けるために、前記プロセッサはさらに、前記ＩＰフローを、前記現在の通信セッションのＰＭＩＰトンネルに関連付けるように構成された請求項１０または１１に記載の無線通信システム。
【請求項１８】
前記第２のＩＰインタフェース・タイプのＩＰフローを、前記現在の通信セッションに関連付けるために、前記プロセッサはさらに、前記第２のＩＰインタフェースのための新たなＰＭＩＰトンネルを生成し、前記ＩＰフローを、前記新たなＰＭＩＰトンネルに関連付けるように構成された請求項１０または１１に記載の無線通信システム。
【請求項１９】
コンピュータ読取可能な記録媒体であって、
モバイル・デバイスの第１のＩＰインタフェース・タイプに関連付けられた現在の通信セッションに、前記第１のＩＰインタフェース・タイプとは異なる第２のＩＰインタフェース・タイプを追加する要求を、コンピュータに対して、前記モバイル・デバイスから受信させるための第１のコード・セットと、
コンピュータに対して、前記モバイル・デバイスのホーム・ネットワークに関連づけられたローカル・モビリティ・アンカ（ＬＭＡ）からの、前記モバイル・デバイスによって要求された前記第２のＩＰインタフェース・タイプのＩＰアドレスのセットを要求させるための第２のコード・セットと、
コンピュータに対して、前記ＬＭＡから、前記第２のＩＰインタフェース・タイプのＩＰアドレスのセットを受信させるための第３のコード・セットと、
コンピュータに対して、前記受信した１または複数のＩＰアドレスを用いて、前記モバイル・デバイスの前記第２のＩＰインタフェース・タイプの１または複数のＩＰフローを確立させるための第４のコード・セットと、
コンピュータに対して、前記第２のＩＰインタフェース・タイプの１または複数のＩＰフローを、前記モバイル・デバイスの現在の通信セッションに関連付けさせるための第５のコード・セットと、
コンピュータに対して、前記モバイル・デバイスから、１または複数のＩＰフローを終了させる要求を受信させるための第６のコード・セットと、
コンピュータに対して、アクティブなＩＰフローに関連付けられた１または複数のＩＰアドレスを識別しているとともに、前記１または複数の終了したＩＰフローに関連付けられた１または複数のＩＰアドレスを除外するプロキシ・バインディング・アップデート（ＰＢＵ）メッセージを生成させるための第７のコード・セットと、ここで、前記ＰＢＵメッセージからのＩＰアドレスを除外することは、除外されたＩＰアドレスが解放されることを示す、
コンピュータに対して、前記生成されたＰＢＵメッセージを、前記モバイル・デバイスのホーム・ネットワークに関連付けられた前記ＬＭＡへ送らせるための第８のコード・セットと、
コンピュータに対して、前記モバイル・デバイスに割り当てられたままのＩＰアドレスのリストを備えるプロキシ・バインディング・アクノレッジメント（ＰＢＡ）メッセージを、前記ＬＭＡから受信させるための第９のコード・セットと、
コンピュータに対して、前記ＰＢＵメッセージにおいて除外されなかった１または複数のＩＰアドレスが前記ＰＢＡメッセージにおいて除外されるかどうか決定し、前記ＰＢＡメッセージにおいて除外された前記１または複数のＩＰアドレスを、前記ＬＭＡによって要求されていないＩＰアドレス解放として取り扱わせるための第１０のコード・セットと、
コンピュータに対して、前記ＰＢＵメッセージにおいて除外された前記１または複数のＩＰアドレスと前記ＰＢＡメッセージにおいて除外された前記１または複数のＩＰアドレスを解放させるための第１１のコード・セットと、
コンピュータに対して、前記終了したＩＰフローに関連付けられたプロキシ・モバイル・インターネット・プロトコル（ＰＭＩＰ）トンネルに関連付けられたアクティブなＩＰフローがもはや存在しない場合、前記ＰＭＩＰトンネルを閉じさせるための第１２のコード・セットとを記録するコンピュータ読取可能な記録媒体。
【請求項２０】
コンピュータに対して、ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをローカル・モビリティ・アンカ（ＬＭＡ）から受信させるための第１３のコード・セットと、
コンピュータに対して、前記解放されたＩＰアドレスに関連付けられた１または複数のＩＰフローを終了させるための第１４のコード・セットと、
をさらに記録する請求項１９に記載のコンピュータ読取可能な記録媒体。
【請求項２１】
前記第１のＩＰインタフェース・タイプはＩＰｖ４インタフェース・タイプであり、前記第２のＩＰインタフェース・タイプはＩＰｖ６インタフェース・タイプである請求項１９または２０に記載のコンピュータ読取可能な記録媒体。
【請求項２２】
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたＬＭＡとの間の少なくとも１つのＰＭＩＰトンネルを含む請求項１９または２０に記載のコンピュータ読取可能な記録媒体。
【請求項２３】
装置であって、
モバイル・デバイスの第１のＩＰインタフェース・タイプに関連付けられた現在の通信セッションに、前記第１のＩＰインタフェース・タイプとは異なる第２のＩＰインタフェース・タイプを追加する要求を、前記モバイル・デバイスから受信する手段と、
前記モバイル・デバイスのホーム・ネットワークに関連づけられたローカル・モビリティ・アンカ（ＬＭＡ）からの、前記モバイル・デバイスによって要求された前記第２のＩＰインタフェース・タイプのＩＰアドレスのセットを要求する手段と、
前記ＬＭＡから、前記第２のＩＰインタフェース・タイプのＩＰアドレスのセットを受信する手段と、
前記受信した１または複数のＩＰアドレスを用いて、前記モバイル・デバイスの前記第２のＩＰインタフェース・タイプの１または複数のＩＰフローを確立する手段と、
前記第２のＩＰインタフェース・タイプの１または複数のＩＰフローを、前記モバイル・デバイスの現在の通信セッションに関連付ける手段と、
前記モバイル・デバイスから、１または複数のＩＰフローを終了させる要求を受信する手段と、
アクティブなＩＰフローに関連付けられた１または複数のＩＰアドレスを識別しているとともに、前記１または複数の終了したＩＰフローに関連付けられた１または複数のＩＰアドレスを除外するプロキシ・バインディング・アップデート（ＰＢＵ）メッセージを生成する手段と、ここで、前記ＰＢＵメッセージからのＩＰアドレスを除外することは、除外されたＩＰアドレスが解放されることを示す、
前記生成されたＰＢＵメッセージを、前記モバイル・デバイスのホーム・ネットワークに関連付けられた前記ＬＭＡへ送る手段と、
前記モバイル・デバイスに割り当てられたままのＩＰアドレスのリストを備えるプロキシ・バインディング・アクノレッジメント（ＰＢＡ）メッセージを、前記ＬＭＡから受信する手段と、
前記ＰＢＵメッセージにおいて除外されなかった１または複数のＩＰアドレスが前記ＰＢＡメッセージにおいて除外されるかどうか決定し、前記ＰＢＡメッセージにおいて除外された前記１または複数のＩＰアドレスを、前記ＬＭＡによって要求されていないＩＰアドレス解放として取り扱う手段と、
前記ＰＢＵメッセージにおいて除外された前記１または複数のＩＰアドレスと前記ＰＢＡメッセージにおいて除外された前記１または複数のＩＰアドレスを解放する手段と、
前記終了したＩＰフローに関連付けられたプロキシ・モバイル・インターネット・プロトコル（ＰＭＩＰ）トンネルに関連付けられたアクティブなＩＰフローがもはや存在しない場合、前記ＰＭＩＰトンネルを閉じる手段とを備える装置。
【請求項２４】
ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをローカル・モビリティ・アンカ（ＬＭＡ）から受信する手段と、
前記解放されたＩＰアドレスに関連付けられた１または複数のＩＰフローを終了させる手段と
をさらに備える請求項２３に記載の装置。
【請求項２５】
前記第１のＩＰインタフェース・タイプはＩＰｖ４インタフェース・タイプであり、前記第２のＩＰインタフェース・タイプはＩＰｖ６インタフェース・タイプである請求項２３または２４に記載の装置。
【請求項２６】
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたＬＭＡとの間の少なくとも１つのＰＭＩＰトンネルを含む請求項２３または２４に記載の装置。
【発明の詳細な説明】
【優先権主張】
【０００１】
本特許出願は、２００８年１０月１５日に出願され本願の譲受人に譲渡され本明細書に参照によって明確に組み込まれている「Ｓｕｐｐｏｒｔ  ｏｆ  Ｄｙｎａｍｉｃ  Ａｄｄｉｔｉｏｎ  ａｎｄ  Ｒｅｌｅａｓｅ  ｏｆ  ＩＰ  Ｃｏｎｎｅｃｔｉｏｎｓ  Ｏｖｅｒ  ＰＭＩＰ  Ｂａｓｅｄ  Ｎｅｔｗｏｒｋ」と題された仮出願６１／１０５，７０７号への優先権を主張する。
【技術分野】
【０００２】
本開示は、一般に、無線通信の分野に関し、さらに詳しくは、モバイル・インターネット・プロトコル（ＩＰ）ネットワークにおける複数の接続を動的に管理するためのシステムおよび方法に関する。
【背景技術】
【０００３】
無線通信システムは、例えば音声、データ、マルチメディアおよびその他のようなさまざまなタイプの通信コンテンツを提供するために広く開発されている。これらのシステムは、利用可能なシステム・リソース（例えば帯域幅および送信電力）を共有することにより、複数のモバイル・デバイスとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、３ＧＰＰロング・ターム・イボリューション（ＬＴＥ）システム、およびその他のタイプの無線通信システムを含んでいる。
【０００４】
最新の無線通信システムは、データ通信および音声通信のためのＩＰベースのパケット交換ネットワーク、特に、最も一般的に使用されている２つのプロトコルのバージョンであるＩＰｖ４およびＩＰｖ６をサポートする。これらプロトコルの両方のバージョンは、モビリティ・サポートを提供し、モバイル・デバイスは、さまざまな無線ネットワーク間を移動しながら、通信可能なままでいることが可能となる。一般に、モバイルＩＰによって、モバイル・デバイスは、モバイル・デバイスのホーム・アドレス（ＨｏＡ）を変えることなく、１つのネットワークから別のネットワークへ移動することが可能となる。ホーム・アドレス（ＨｏＡ）は、ホーム・ネットワーク内に存在するローカル・モビリティ・アンカ（ＬＭＡ）としても知られているモバイル・デバイスのホーム・エージェント（ＨＡ）によってモバイル・デバイスへ割り当てられる。パケットは、モバイル・デバイスの外部ネットワーク内における接続点に関わらず、これらアドレスを用いて、モバイル・デバイスへルーティングされうる。
【０００５】
例えば、ＩＰｖ６ドメインにおいて到達可能なままであるために、モバイル・デバイスは、モビリティ・サポートＩＰｖ６規格（ＲＦＣ−３７７５）によって提供されるようなシグナリング・メッセージをＨＡと交換することによって、ＨＡによって割り当てられたＨｏＡと、外部ネットワーク内の「気付アドレス」（ＣｏＡ）との間のバインディングを生成し、維持する必要がある。あるいは、このバインディングは、プロキシ・モバイルＩＰｖ６（ＰＭＩＰ）規格（ＲＦＣ−５２１３）によって提供されるようなコアＩＰネットワークによって、モバイル・デバイスのために生成され、維持される。後者のアプローチでは、外部ネットワーク内のプロキシ・エージェントが、ホーム・ネットワーク内のローカル・モビリティ・アンカとのシグナリングを実行し、モバイル・デバイスのためのモビリティ管理を行う。一方、ローカル・モビリティ・アンカは、モバイル・デバイスへのホーム・アドレスの配信を管理し、モバイル・デバイスのバインディング状態を管理し、さらに、どのサービスおよびアプリケーションが、モバイル・デバイスに利用可能であるかを明示する。
【０００６】
ＰＭＩＰ規格（ＲＦＣ−５２１３）によって提供されるネットワーク中心のモビリティ管理アプローチは、モバイル指向のアプローチ（ＲＦＣ−３７７５）に対していくつかの長所を持つ。これらのうちの幾つかは、シグナリング／処理オーバヘッドを、モバイル・デバイスからコア・ネットワークへシフトさせることと、モビリティ・シグナリングにおいて、ホーム・エージェント機能およびメッセージ／フォーマットを再使用することとを含む。しかしながら、現在のＰＭＩＰ規格の制限のうちの１つは、セッション・セットアップ時に、モバイル・デバイスが、ＰＭＩＰセッションの期間にわたって、すべてのＩＰアドレスを要求することを求めることである。これは、一般に、ホーム・ネットワークによって使用されるＩＰｖ４リソースの不足を顕著にする。なぜなら、モバイル・デバイスは、ＰＭＩＰセッションの期間中、要求されたすべてのＩＰアドレスを使用する訳ではないからである。言い換えれば、モバイル・デバイスは、既存のＰＭＩＰセッションの他のサービスに悪影響を与えることなく、必要ベースでＩＰアドレスの追加／解放を要求できなくてはならない。
【発明の概要】
【０００７】
以下は、本発明の基本的な理解を提供するために、本発明の１または複数の態様の簡略化された概要を示す。この概要は、本発明の考慮されるすべての態様の広範な概観ではなく、本発明の重要な要素あるいは決定的な要素を特定することも、これら態様のいずれかまたはすべての範囲を線引きすることも意図されていない。その唯一の目的は、後に示されるより詳細な記載に対する前置きとして、本発明の１または複数の態様のうちのいくつかの概念を、簡略化された形式で表すことである。
【０００８】
本発明およびその対応する開示の１または複数の態様によれば、確立されたプロキシ・モバイルＩＰｖ６（ＰＭＩＰ）セッションにおいて、通信システムが、ＩＰアドレスを動的に追加および解放することを容易にすることに関連するさまざまな態様が記載される。方法の例は、第１のＩＰインタフェース・タイプに関連付けられた現在のＰＭＩＰ通信セッションに、第１のインタフェース・タイプとは異なる第２のＩＰインタフェース・タイプを追加する要求を、モバイル・デバイスから受信することと、モバイル・デバイスのホーム・ネットワークからの、第２のＩＰインタフェース・タイプのＩＰアドレスのセットを要求することと、ホーム・ネットワークから、第２のＩＰインタフェース・タイプのＩＰアドレスのセットを受信することと、受信した１または複数のＩＰアドレスを用いて、第２のＩＰインタフェース・タイプの１または複数のＩＰフローを確立することと、第２のＩＰインタフェース・タイプの１または複数のＩＰフローを、モバイル・デバイスの現在のＰＭＩＰ通信セッションに関連付けることとを備える。
【０００９】
前述した目的および関連する目的を達成するために、本発明の１または複数の態様は、以下に十分に説明され特に特許請求の範囲で指摘された特徴を備えている。以下の記載および添付図面は、本発明の１または複数の態様のある実例となる特徴を詳細に記述している。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１０】
本発明の開示された態様は、開示された態様を、限定するのではなく、例示するために提供された、同一符番が同一要素を示す添付図面と連携して以下に記載されるだろう。
【図１】図１は、本明細書に記載された発明のさまざまな態様にしたがう無線通信システムの例示である。
【図２】図２は、無線通信環境においてＩＰ接続を動的に管理するための方法の例示である。
【図３】図３は、プロキシ・モバイルＩＰｖ６規格（ＲＦＣ−５２１３）にしたがうプロキシ・バインディング・アップデート（ＰＢＵ）メッセージを例示する。
【図４】図４は、無線通信環境においてＩＰｖ４接続を確立するための方法の例の図示である。
【図５】図５は、無線通信環境においてＩＰｖ６接続を動的に追加するための方法の例の図示である。
【図６】図６は、無線通信環境においてＩＰ接続を動的に追加するための方法の例の図示である。
【図７】図７は、無線通信環境においてＩＰ接続を動的に解放するための方法の例の図示である。
【図８】図８は、無線通信環境においてＩＰ接続を動的に解放するための別の方法の例の図示である。
【図９】図９は、本明細書に記載された発明のさまざまな態様にしたがう無線通信システムの例示である。
【図１０】図１０は、無線通信環境においてＩＰ接続を動的に管理するためのシステムの例の図示である。
【図１１】図１１は、無線通信環境においてＩＰ接続を動的に追加／解放するように動作可能なモバイル・デバイスの例の図示である。
【発明を実施するための形態】
【００１１】
本発明のさまざまな態様が、図面を参照して記載される。以下の記載では、説明の目的のために、本発明の１または複数の態様の完全な理解を提供するために、多くの具体的な詳細が説明されている。しかしながら、そのような態様は、これら具体的な詳細無しで実現されうることが明確である。
【００１２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１３】
さらに、本明細書では、本発明のさまざまな態様が、モバイル・デバイスに関して説明されている。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、携帯情報端末（ＰＤＡ）、無線接続機能を有するハンドヘルド・デバイス、ラップトップ・コンピュータ、あるいは無線モデムに接続されたその他の処理デバイスでありうる。
【００１４】
さらに、本明細書に記載された本発明のさまざまな態様または特徴は、標準的なプログラミング技術および／またはエンジニアリング技術を用いて、方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００１５】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００１６】
本発明のさまざまな態様または特徴は、多くのデバイス、構成要素、モジュール等を含みうるシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００１７】
図１に示すように、無線通信システム１００は、本明細書で示された本発明のさまざまな態様にしたがって例示されている。システム１００は、複数のモバイル・デバイス１１５のための１または複数のホーム・ネットワーク１０１と、モバイル・デバイス１１５が現在位置している外部ネットワーク１０２とを備える。ホーム・ネットワーク１０１および外部ネットワーク１０２は、インターネット・プロトコル（ＩＰ）を用いてデータを伝送するパケット交換ネットワーク１０３によって接続される。外部ネットワーク１０２は、例えばＣＤＭＡ２０００あるいは、その他のタイプの無線通信システムのようなラジオ・アクセス・ネットワーク（ＲＡＮ）でありうる。一般に、外部ネットワーク１０２は、ＲＡＮコントローラ１１０、複数のラジオ基地局１１５、およびモバイル・アクセス・ゲートウェイ（ＭＡＧ）１２０を含みうる。ラジオ基地局１１５は、複数のアンテナ・グループ、および／または、モバイル・デバイス１１５とのラジオ信号送受信に関連付けられた複数の構成要素（例えば、プロセッサ、変調器、マルチプレクサ、アンテナ等（図示せず））を備える送信機／受信機チェーンを含むことができる。ホーム・ネットワーク１０１は無線ネットワークまたは有線ネットワークであり、複数のローカル・モビリティ・エージェント（ＬＭＡ）１３０を含みうる。ＬＭＡは、プロキシ・モビリティ・ネットワークにおいて、ホーム・エージェント（ＨＡ）１３０として機能する。
【００１８】
さらに詳しくは、外部ＲＡＮ１０２は、ホーム・ネットワーク１０１内のＬＭＡ１３０によって提供されるサービスにアクセスするために、モバイル・デバイス１１５に対して無線接続を提供する。ＲＡＮコントローラ１１０は、モバイル・デバイス１１５とＭＡＧ１２０との間のデータ接続を提供するネットワーク設備である。ＲＡＮコントローラ１１０の主要な機能は、ラジオ・チャネルの確立、メンテナンス、および終了と、ラジオ・リソースの管理と、モビリティ管理とを含んでいる。モバイル・デバイス１１５とＲＡＮコントローラ１１０との間のラジオ・チャネルは、ラジオ・リンク・プロトコル（ＲＬＰ）フローとして知られている。モバイル・デバイス１１５は、一般に、以下により詳細に説明されるように、ホーム・ネットワーク１０１内のＬＭＡ１３０によって提供される別のサービスを求めて、別のＲＬＰフローのＲＡＮコントローラ１１０と、予約をネゴシエートする。一例において、ＲＡＮコントローラ１１０は、パケット制御機能（ＰＣＦ）をサポートし、Ａ１０データ・インタフェースとＡ１１シグナリング・インタフェースとを介するベアラ接続を用いて、ＲＡＮコントローラ１１０とＭＡＧ１２０との間のパケットの送信を制御する。
【００１９】
モバイル・アクセス・ゲートウェイ（ＭＡＧ）１２０は、ラジオ・ネットワークとコアＩＰネットワークとを接続するサーバまたはルータである。ＭＡＧ１２０は、外部ネットワーク１２０との間のモバイル・デバイスの移動を追跡することと、複数のＲＡＮコントローラからデータ・トラフィックを収集することと、例えばインターネットや、イントラネットや、ＣＤＭＡ２０００あるいはその他のラジオ・アクセス技術を使用するモバイル・デバイス１１５のためのホーム・ネットワーク１０１のようなパケット交換ネットワーク１０３へのアクセスを提供することとを担当する。ＭＡＧ１２０は、本発明の一態様では、パケット・データ・サービス提供ノード（ＰＤＳＮ）として実現される。システム１００が、モバイルＩＰｖ４プロトコルおよびプロキシ・モバイルＩＰｖ６プロトコルをサポートする場合、ＭＡＧ１２０は、モバイル・デバイス１１５とＬＭＡ１３０との間のモバイルＩＰｖ４およびＩＰｖ６パケット伝送、シグナリング、およびデータ送信／受信ためのプロキシ・エージェントとして貢献する。特に、データ・パケットがＡ１０／Ａ１１ベアラ接続を介してモバイル・デバイス１１５から受信された場合、ＭＡＧ１２０は、モバイル・デバイスのホーム・アドレス（ＨｏＡ）に関連付けられたバインディング状態情報を用いて、モバイル・デバイス１１５のホーム・ネットワーク１０１内のＬＭＡ１３０を識別し、モバイル・デバイスのＬＭＡ１３０と、双方向プロキシ・モバイルＩＰ（ＰＭＩＰ）トンネルを生成し、受信したデータを、プロキシＣｏＡであるＭＡＧのソース・アドレスとともに、新たなパケット内にカプセル化し、カプセル化されたパケットを、ＰＭＩＰトンネルを介して、適切なＬＭＡへ送信する。ＬＭＡ１３０からのデータ・パケットが受信された場合、ＭＡＧ１２０は、ＬＭＡ１３０に関連付けられたバインディング状態情報に基づいてカプセルを開き、適切なベアラ接続を介して、モバイル・デバイス１１５へ転送する。ＭＡＧ１２０はまた、モバイル・デバイス１１５のための認証、許可、および課金（ＡＡＡ）サービスや、その他の管理サービスを提供する。
【００２０】
ローカル・モビリティ・アンカ（ＬＭＡ）１３０は、モバイル・デバイスのホーム・ネットワーク・プレフィクス（単数または複数）のためのトポロジカルなアンカ・ポイントであり、モバイル・デバイスのバインディング状態を管理するエンティティである。バインディングは、ホーム・ネットワーク１０１内のモバイル・デバイスのＨｏＡと、例えばＭＡＧ１２０のＩＰアドレスのような、外部ネットワーク１０２内のプロキシＣｏＡとの関連付けである。ＨｏＡは、ＬＭＡ１３０によって指定されたモバイル・デバイスのホーム・ネットワーク・プレフィクスからのアドレスである。例えば、ＬＭＡ１３０によって提供される複数のホーム・プレフィクスがある場合、モバイル・デバイス１１５はそのさまざまなＩＰインタフェースのために、複数のＨｏＡを使用しうる。モバイル・デバイスがそのホーム・ネットワーク・プレフィクスから１つより多いアドレスを使用する場合、これらのアドレスのうちの任意の１つが、モバイル・デバイスのホーム・アドレスと称される。モバイル・デバイス１１５は一般に、ＬＭＡを用いる異なる通信セッションに対して、異なるＨｏＡを使用する。このように、モバイル・デバイス１１５は、異なるＨｏＡによって識別される複数のアクティブなＩＰインタフェース（例えば、アプリケーション、サービス、プログラム）を有しうる。さらに、ＩＰインタフェースは、例えばＩＰｖ４インタフェースおよびＩＰｖ６インタフェースのような異なるタイプでありうる。ＩＰインタフェースはおのおのの、関連付けられた１または複数の個別のＩＰフローを有しうる。１または複数のＰＭＩＰトンネルを用いて、１または複数のＩＰフローが、ＭＡＧ１２０とＬＭＡ１３０との間で伝送されうる。異なるタイプのＩＰフローが、同じＰＭＩＰトンネルまたは異なるＰＭＩＰトンネルで伝送されうる。
【００２１】
現在のＰＭＩＰ規格は、セッション・セットアップ時に、ＰＭＩＰセッションの期間にわたって必要なすべてのＩＰアドレス（例えば、ＩＰｖ４プレフィクスおよびＩＰｖ６プレフィクス）をモバイル・デバイスが要求とし、ＬＭＡが提供することを求める。これは、一般に、ホーム・ネットワークで利用可能なＩＰｖ４リソースの不足を顕著にする。なぜなら、モバイル・デバイスは、ＰＭＩＰセッションの期間中、要求したすべてのＩＰアドレスを使用する訳ではないからである。本明細書で開示された方法によって、モバイル・デバイスは、ＭＡＧおよびＬＭＡと同様に、ＰＩＭＰセッション中に、ＩＰアドレスを動的に追加および解放できるようになる。
【００２２】
図２は、（例えばＰＭＩＰトンネルのような）既存のＰＭＩＰセッションにおけるＩＰアドレスの動的な割当および解放のための方法の一例を図示する。ステップ２１０では、モバイル・デバイス１１５から要求がなされると、ＭＡＧ１２０は、ＬＭＡ１３０と、（例えばＩＰｖ４のような）第１のＩＰインタフェース・タイプに関連付けられたＰＭＩＰセッションを確立する。ステップ２２０では、新たなＩＰインタフェース・タイプを現在のＰＭＩＰセッションへ追加する要求を、ＭＡＧ１２０がモバイル・デバイス１１５から受信する。ステップ２３０では、ＭＡＧ１２０が、モバイル・デバイス１１５のホーム・ネットワーク１０１内のＬＭＡ１３０からの、（例えば、ＩＰｖ６のような）第２のＩＰインタフェース・タイプのＩＰアドレスのセットを要求する。ステップ２４０では、ＭＡＧ１２０が、要求したＩＰアドレスを受信し、受信した１または複数のＩＰアドレスを用いて、モバイル・デバイス１１５のために、第２のＩＰインタフェース・タイプの１または複数のＩＰフローを確立する。ステップ２５０では、ＭＡＧ１２０が、第２のＩＰインタフェース・タイプの１または複数のＩＰフローを、モバイル・デバイス１１５の現在のＰＭＩＰセッションに関連付け、モバイル・デバイス１１５およびＬＭＡ１３０との間でのＩＰｖ６トラフィックの送信を開始する。ステップ２６０では、ＭＡＧ１２０が、モバイル・デバイス１１５に関連付けられた１または複数のＩＰフローを終了する要求を受信する。ステップ２７０では、ＭＡＧ１２０が、これらＩＰフローを終了させ、終了したＩＰフローに関連付けられたＩＰアドレスを解放する。ステップ２８０では、関連付けられているすべてのＩＰフローが終了した場合、ＭＡＧ１２０が、現在のＰＭＩＰセッションを閉じる。
【００２３】
さらに詳しくは、この方法によって、モバイル・デバイス１１５は、既存のＰＭＩＰセッションの間、例えばＩＰｖ４インタフェース・タイプおよび／またはＩＰｖ６インタフェース・タイプのような新たなＩＰインタフェース・タイプを明示的かつ動的に要求できるようになる。新たなＩＰインタフェース・タイプのインジケータが、パラメータとして、ＭＡＧ１２０からＩＰｖ４アドレスを要求するためにモバイル・デバイス１１５によって使用されるＩＰＣＰ−Ｃｏｎｆｉｇ−Ｒｅｑメッセージに、および、同じタイプのさらなるＩＰアドレスを要求するためにＩＰｖ６アドレスを要求するために使用されるＩＰｖ６ＣＰ−Ｃｏｎｆｉｇ−Ｒｅｑメッセージに追加される。さらに、新たなベンダ特有のオプションが、図３において図示されるプロキシ・バインディング・アップデート（ＰＢＵ）メッセージに追加されうる。これは、モバイル・デバイス１１５からのＩＰＣＰ−Ｃｏｎｆｉｇ−Ｒｅｑ／ＩＰｖ６ＣＰ−Ｃｏｎｆｉｇ−Ｒｅｑメッセージに応答して、ＭＡＧ１２０によってＬＭＡ１３０へ送信される。この新たなベンダ特定のオプションは、新たなタイプのＩＰアドレス、あるいは、モバイル・デバイス１１５との既存のＰＭＩＰセッションの既存のＩＰアドレス・タイプの新たなＩＰアドレスを、ＭＡＧ１２０が必要としていることをＬＭＡ１３０へ示すであろう。そのようなオプションを用いたＰＢＵメッセージに応答して、ＬＭＡ１３０は、（例えばＩＰｖ４プレフィクスまたはＩＰｖ6プレフィクスのような）ＩＰアドレスの新たなセットをモバイル・デバイス１１５へ割り当て、ＰＢＡメッセージでＭＡＧ１２０へ送信する。これに応答して、ＭＡＧ１２０は、モバイル・デバイス１１５との既存の通信セッションのため、新たなあるいは既存のＰＩＭＰトンネルを用いて、新たなタイプのＩＰトラフィックの通信のための新たなＩＰフローをセットアップしうる。
【００２４】
モバイル・デバイス１１５が、例えばＩＰｖ４接続および／またはＩＰｖ６接続のような特定のタイプのＩＰ接続を終了することを決定した場合、このデバイスは、ＩＰ終了シーケンスをＭＡＧ１２０へ送信する。すると、ＭＡＧ１２０は、終了したＩＰ接続（単数または複数）に関連付けられたＩＰアドレスを解放する。一態様において、ＭＡＧ１２０は、モバイル・デバイスのＨｏＡ（単数または複数）と、ゼロに設定されたこれらアドレスの期間パラメータとを備えたＰＢＵメッセージをＬＭＡ１３０へ送信する。プロキシ・バインディング・アクノレッジメント（ＰＢＡ）が、ＬＭＡ１３０から到来した場合、ＭＡＧ１２０は、終了したＩＰ接続（単数または複数）に関連付けられたＩＰアドレス（すなわち、プレフィクス）を解放する。それに加えて、ＩＰ接続（単数または複数）が終了したＰＭＩＰトンネルに関連付けられた別のＩＰフローが存在しないことをＭＡＧ１２０が検出した場合、ＭＡＧ１２０は、ＰＩＭＰトンネルの削除をもしうる。
【００２５】
別の態様では、ＭＡＧ１２０は、ＬＭＡ１３０に対して新たなＩＰインタフェース・タイプの要求を通知するために、新たなベンダ特有のオプションを用いるのではなく、新たな方式で、拡張ＰＢＵメッセージで提供される標準的なオプションを使用することができる。この方法によれば、ＭＡＧ１２０は、現在のＰＭＩＰセッションに新たなＩＰインタフェース・タイプを加える要求をモバイル・デバイス１１５から受信すると、既存のすべてのアドレス（すなわち、すでに割り当てられたアドレス）をリストしており、かつ、新たなタイプのホーム・ネットワーク・プレフィクスのために全ゼロ値を含んでいる複数のホーム・ネットワーク・プレフィクス・オプション（図３参照）を備えるＰＢＵをＬＭＡ１３０へ送信する。全ゼロ値は、ＭＡＧ１２０がモバイル・デバイス１１５のために新たなタイプのＩＰアドレスを要求していることをＬＭＡ１３０へ示すであろう。これに応答して、ＬＭＡ１３０は、要求されたＩＰアドレスを割り当て、モバイル・デバイス１１５に割り当てられたすべてのＩＰアドレスを含むＰＢＡをＭＡＧ１２０へ送り返す。ＬＭＡは、もしも新たなＩＰアドレスを割り当てるのに失敗した場合、新たに要求されたＩＰアドレスのために、ＩＰアドレスを、全ゼロに設定するだろう。
【００２６】
ＭＡＧ１２０は、１または複数のＩＰアドレスを解放する要求をモバイル・デバイス１１５から受信すると、削除されるものを除く既存のすべてのＩＰアドレスを含むＰＢＵメッセージを送信する。ＭＡＧ１２０はさらに、ＰＢＵメッセージが、「既存のインタフェースへ更新せよ」とのことを示すために、ハンドオフ・インジケータ・オプションへ１または複数のパラメータを追加する。このようなメッセージに応答して、ＬＭＡ１３０は、要求されたＩＰアドレスの割り当てを解除し、ＰＭＩＰトンネルに現在割り当てられているすべてのＩＰアドレスを含むＩＰアドレスのリストを備えたＰＢＡを、ＭＡＧ１２０へ送り返す。ＭＡＧは、このインジケーションを、削除されていない既存のＩＰアドレスの有効性の追加確認として使用する。この要求から除外されなかったＩＰアドレスが、この応答において除外されている場合、ＭＡＧは、このアドレスを、ＬＭＡによって要求されていないＩＰアドレス解放として取り扱うだろう。あるいは、モバイル・デバイス１１５からＩＰアドレスを解放せよとの要求がなされると、ＭＡＧ１２０は、削除される必要のあるＩＰアドレスをまさに含むＰＢＵメッセージを送信し、これらパラメータに関連付けられた期間パラメータをゼロに設定する。これに応答して、ＬＭＡ１３０は、ＰＢＡメッセージをＭＡＧ１２０へ送信することによって、ＩＰアドレスを割当解除する。
【００２７】
本発明の別の態様では、ＬＭＡ１３０は、取消トリガ・オプション内に追加されたインジケータ「選択的なＩＰアドレス解放」を備えた拡張バインディング取消インジケーション（ＢＲＩ）メッセージをＭＡＧ１２０へ送ることによって、モバイル・デバイス１１５に関連付けられたあるＩＰアドレスの解放を開始し、モビリティ・オプションに対して削除されるべきＩＰアドレスのリストを、ＢＲＩメッセージ内に含める。当業者に周知のその他の方法は、ホーム・ネットワークによってモバイル・デバイス１１５へ割り当てられたＩＰアドレスを解放するために使用される。
【００２８】
一態様では、新たなタイプのＩＰトラフィックが、現在の通信セッションの新たなまたは既存のＰＭＩＰトンネルを用いてセットアップされる。既存のＰＭＩＰトンネルを使用するか、あるいは、新たなＰＭＩＰトンネルを生成するかの決定は、例えば、新たなＩＰインタフェース・タイプまたはその他のアプリケーションのＱｏＳ要件、あるいは、ネットワーク依存パラメータに基づいて、ＭＡＧ１２０によってなされうる。一態様では、既存のＩＰｖ４接続を有するモバイル・デバイス１１５が、本明細書で開示された方法を用いる新たなＩＰｖ６インタフェース・タイプを必要としており、新たなＩＰｖ６接続のＱｏＳ要件が、既存のＩＰｖ４接続のＱｏＳ要件と同じである場合、ＭＡＧ１２０は、モバイル・デバイス１１５からＩＰｖ４トラフィックを伝送する既存のＰＭＩＰトンネルに、新たなＩＰｖ６インタフェースを関連付け、現在の通信セッションの既存のＰＭＩＰトンネルを用いて、新たなＩＰｖ６トラフィックを送信する。しかしながら、後に既存のＰＭＩＰトンネルによって提供される異なるＱｏＳ処理を必要とするモバイル・デバイス１１５上のアプリケーションからＩＰｖ６インタフェース・タイプ要求がなされた場合、ＭＡＧ１２０は、新たなＩＰインタフェース・タイプのデータを伝送するために、新たなトンネルを生成しうる。このように、ＭＡＧ１２０は、同じ通信セッションで、モバイル・デバイス１１５との間でＩＰｖ４トラフィック、ＩＰｖ６トラフィック、およびＩＰｖ４／ＩＰｖ６トラフィックを通信するために、別のＰＭＩＰトンネルをセットアップしうる。
【００２９】
図４は、無線通信環境において、初期ＩＰ接続を確立するための方法の一例を図示する。ステップ４１０では、モバイル・デバイス１１５が、ＭＡＧ１２０にＩＰＣＰ−Ｃｏｎｆｉｇ−Ｒｅｑメッセージを送信し、このＩＰインタフェース（例えば、アプリケーション、サービス、またはプログラム）のうちの１つのためのＩＰｖ４アドレスを要求する。ステップ４２０では、ＭＡＧが、モバイル・デバイス１１５のホーム・ネットワーク１０１内の適切なＬＭＡにＰＢＵを送信し、モバイル・デバイス１１５のためのＩＰｖ４アドレスを要求する。ステップ４３０では、ＬＭＡ１３０が、ＩＰｖ４アドレスのセット（すなわち、プレフィクス）を備えたＰＢＡを割り当て、ＭＡＧ１２０に返す。ＭＡＧ１２０は、これを、モバイル・デバイス１１５へ転送する。ステップ４４０では、モバイル・デバイス１１５が、先ず、１または複数のＩＰｖ４フロー（例えば、ＲＬＰフロー）を求めてＲＡＮ１１０とネゴシエートすることによって、１または複数のＩＰｖ４アドレスを用いて、ＩＰインタフェースのうちの１つのための通信セッションをセットアップする。一方、ＲＡＮは、ＭＡＧ１２０への各ベアラ接続（例えば、Ａ１０／Ａ１１接続）をセットアップする。ステップ４５０では、ＭＡＧ１２０が、割り当てられたＩＰｖ４アドレスのうちの１または複数を用いて、モバイル・デバイス１１５からのＩＰｖ４データの通信のために、ＬＭＡ１３０との第１のＰＭＩＰトンネルをセットアップする。トンネルが確立されると、ステップ４６０では、ＭＡＧ１２０が、確立されたＰＭＩＰトンネルを介して、モバイル・デバイス１１５およびＬＭＡ１３０との間で、ＩＰｖ４トラフィックを送信する。
【００３０】
図５は、第１のＩＰインタフェース・タイプの既存のＰＭＩＰ通信セッションに、第２のＩＰインタフェース・タイプの新たなＩＰ接続を動的に追加するための方法の一例を図示する。ステップ５１０では、モバイル・デバイス１１５が、明示的なインタフェース・タイプ・パラメータを備えるＩＰｖ６ＣＰ−Ｃｏｎｆｉｇ−Ｒｅｑメッセージを、既に割り当てられたＩＰｖ４アドレスのうちの１つを用いてＭＡＧ１２０へ送信し、現在の通信セッションに対するＩＰｖ６アドレス割当を求める要求を示す。ステップ５２０では、ＭＡＧ１２０が、モバイル・デバイス１１５へのＩＰｖ６アドレスの割当を要求する新たなベンダ特有オプションを備えるＰＢＵを、ホーム・ネットワーク１０１内の適切なＬＭＡ１３０に送信する。ステップ５３０では、ＬＭＡ１３０は、ＩＰｖ６アドレスのセット（すなわち、プレフィクス）を備えたＰＢＡを割り当てて、ＭＡＧ１２０へ返す。ＭＡＧ１２０は、これを、モバイル・デバイス１１５へ転送する。ステップ５４０では、モバイル・デバイス１１５が、割り当てられたＩＰｖ６アドレスのうちの１または複数を用いて、現在の通信セッションのためのＩＰｖ６インタフェースのための１または複数のＩＰｖ６フローを求めて、ＲＡＮ１１０とネゴシエートする。ステップ５５０では、ＭＡＧ１２０が、１または複数のＩＰｖ６フローを、ＩＰｖ４トラフィックの送信のために使用される既存のＰＭＩＰトンネルに関連付けるか、あるいは、モバイル・デバイス１１５からのＩＰｖ６トラフィックのために新たなＰＭＩＰトンネルを生成するかを決定する。ステップ５６０では、ＭＡＧ１２０が、モバイル・デバイス１１５との間でＩＰｖ６トラフィックを伝送し始める。
【００３１】
図６は、第１のＩＰインタフェース・タイプの既存のＰＭＩＰ通信セッションに、第２のＩＰインタフェース・タイプの新たなＩＰ接続を動的に追加するための別の方法を図示する。ステップ６１０では、モバイル・デバイス１１５が、明示的なインタフェース・タイプ・パラメータを備えるＩＰｖ６ＣＰ−Ｃｏｎｆｉｇ−Ｒｅｑメッセージを、既に割り当てられたＩＰｖ４アドレスのうちの１つを用いてＭＡＧ１２０へ送信し、現在の通信セッションに対するＩＰｖ６アドレス割当を求める要求を示す。ステップ６２０では、既存のすべてのアドレス（すなわち、すでに割り当てられたアドレス）をリストしており、かつ、新たなタイプのホーム・ネットワーク・プレフィクスのために全ゼロ値を含んでいる、マルチ・ホーム・ネットワーク・プレフィクス・オプションを備えたＰＢＵを、ＭＡＧ１２０がＬＭＡ１３０へ送信する。ステップ６３０では、ＬＭＡ１３０が、割り当てられたＩＰｖ６アドレスのリスト（すなわち、プレフィクス）をＰＢＡに割り当て、ＭＡＧ１２０へ返す。このリストは、新たに割り当てられたＩＰｖ６アドレスのみならず、既に割り当てられているＩＰｖ４アドレスをも含む。ＭＡＧ１２０は、モバイル・デバイス１１５から要求がなされると、割り当てられたＩＰアドレスのうちの１または複数を、モバイル・デバイス１１５に提供する。ステップ６４０では、モバイル・デバイス１１５は、割り当てられたＩＰｖ６アドレスのうちの１または複数を用いて、現在の通信セッションのためのＩＰｖ６インタフェースのための１または複数のＩＰｖ６フローを求めてＲＡＮ１１０とネゴシエートする。ステップ６５０では、ＭＡＧ１２０は、ＩＰｖ４トラフィックの送信のために使用される既存のＰＭＩＰトンネルに、１または複数のＩＰｖ６フローを関連付けるか、あるいは、ＩＰｖ６トラフィックのために新たなＰＭＩＰトンネルを生成するかを決定する。ステップ６６０では、ＭＡＧ１２０は、モバイル・デバイス１１５との間で、ＩＰｖ６トラフィックの伝送を開始する。
【００３２】
図７は、無線通信環境においてＩＰ接続を動的に解放するための方法の例を図示する。ステップ７１０では、ＭＡＧ１２０が、現在のＰＭＩＰセッションに関連付けられた１または複数のＩＰフロー（例えば、ＩＰｖ４フローおよび／またはＩＰｖ６フロー）を終了させる要求をモバイル・デバイス１１５から受信する。ステップ７２０では、接続がモバイル・デバイス１１５によって終了されたＩＰアドレスのリストを備えたＰＢＵをＭＡＧ１２０が生成し、ＬＭＡ１３０へ送信する。ＭＡＧ１２０はさらに、これらＩＰアドレスの期間パラメータをゼロに設定する。このメッセージに応答して、ステップ７３０では、ＬＭＡ１３０が、識別されたＩＰアドレスの割り当てを解除し、現在割り当てられているＩＰアドレスのリストを備えたＰＢＡをＭＡＧ１２０へ返す。ＭＡＧ１２０は、このインジケーションを、削除されていない既存のＩＰアドレスの有効性の追加確認として用いる。オリジナルのＩＰフロー終了要求から除外されていないＩＰアドレスが、ＰＢＡにおいて除外されていない場合、ＭＡＧ１２０は、このアドレスを、ＬＭＡ１３０によって要求されていないＩＰアドレス解放として取り扱う。ステップ７４０では、ＭＡＧ１２０は、モバイル・デバイスによって要求されたすべてのＩＰフローと、ＬＭＡ１３０によって要求されたこれらを終了させる。ステップ７５０では、ＭＡＧ１２０が、いずれかのＩＰフローが、現在のＰＭＩＰセッション内でアクティブなままであるかを判定する。ステップ７６０では、関連付けられたアクティブなＩＰフローが存在しない場合、ＭＡＧ１２０は、現在のＰＭＩＰセッションを閉じる。
【００３３】
図８は、無線通信環境においてＩＰ接続を動的に解放するための別の方法の一例を図示する。ステップ８１０では、ＭＡＧ１２０が、現在のＰＭＩＰセッションに関連付けられた１または複数のＩＰフロー（例えば、ＩＰｖ４フローおよび／またはＩＰｖ６フロー）を終了させる要求をモバイル・デバイス１１５から受信する。ステップ８２０では、ＭＡＧ１２０が、ＰＭＩＰセッションの既存のＩＰアドレスを、削除されるものを除いてすべてリストしているＰＢＵメッセージを生成し、ＬＭＡ１３０へ送信する。ステップ８３０では、ＬＭＡ１３０が、ＰＢＵにリストされていないＩＰアドレスを割当解除し、現在割り当てられているＩＰアドレスのリストを備えるＰＢＡをＭＡＧ１２０へ返す。ＭＡＧ１２０は、このインジケーションを、削除されていない既存のＩＰアドレスの有効性の追加確認として用いる。オリジナルのＩＰフロー終了要求から除外されていないＩＰアドレスが、ＰＢＡにおいて除外されている場合、ＭＡＧ１２０は、このアドレスを、ＬＭＡ１３０によって要求されていないＩＰアドレス解放として取り扱う。ステップ８４０では、ＭＡＧ１２０は、モバイル・デバイスによって要求されたすべてのＩＰフローと、ＬＭＡ１３０によって要求されたこれらを終了させる。ステップ８５０では、ＭＡＧ１２０が、いずれかのＩＰフローが、現在のＰＭＩＰセッション内でアクティブなままであるかを判定する。ステップ８６０では、関連付けられたアクティブなＩＰフローが存在しない場合、ＭＡＧ１２０は、現在のＰＭＩＰセッションを閉じる。
【００３４】
図９は、本発明の現在の態様が実現される無線通信システム９００の１つの限定しない例を示す。無線通信システム９００は、簡略のために、ラジオ・アクセス・ネットワーク内の１つの基地局／順方向リンク送信機９１０と、１つのモバイル・デバイス９５０しか示していない。しかしながら、システム９００は、１より多い基地局／順方向リンク送信機および／または１より多いモバイル・デバイスを含むことができ、ここでは、追加の基地局／送信機および／またはモバイル・デバイスが、後述する基地局／順方向リンク送信機９１０およびモバイル・デバイス９５０の例と実質的に類似しているか、または、異なりうることが認識されるべきである。さらに、基地局／順方向リンク送信機９１０および／またはモバイル・デバイス９５０は、その間の無線通信を容易にするために、本明細書で記載されたシステム（図１）および／または方法（図２および図４−８）を適用しうることが認識されるべきである。
【００３５】
基地局／順方向リンク送信機９１０では、多くのデータ・ストリームのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００３６】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００３７】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな態様において、ＴＸ  ＭＩＭＯプロセッサ９２０は、データ・ストリームのシンボルへ、および、シンボルが送信されるアンテナへ、ビームフォーミング重みを適用する。
【００３８】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００３９】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４０】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局／順方向リンク送信機９１０におけるＴＸ  ＭＩＭＯプロセッサ９２０およびＴＸデータ・プロセッサ９１４によって行なわれるものに対して相補的である。
【００４１】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００４２】
逆方向リンク・メッセージは、通信リンクおよび／または受信されたデータ・ストリームに関するさまざまなタイプの情報を備えうる。逆方向リンク・メッセージは、データ・ソース９３６から多くのデータ・ストリームのためのトラフィック・データをも受信するＴＸデータ・プロセッサ９３８によって処理され、変調器９８０によって変調され、送信機９５４ａ乃至９５４ｒによって調整され、基地局／順方向リンク送信機９１０へ送り返される。
【００４３】
基地局／順方向リンク送信機９１０では、モバイル・デバイス９５０からの調整された信号が、アンテナ９２４によって受信され、受信機９２２によって調整され、復調器９４０によって復調され、ＲＸデータ・プロセッサ９４２によって処理されることによって、モバイル・デバイス９５０によって送信された逆方向リンク・メッセージが抽出される。さらに、プロセッサ９３０は、ビームフォーミング重みを決定するためにどの事前符合化行列を使用するかを決定するために、この抽出されたメッセージを処理する。データは、順方向リンクによってのみブロードキャストされるので、順方向リンク送信機９１０の場合、基地局とは逆に、これらのＲＸ構成要素は存在しないことが認識されるべきである。
【００４４】
プロセッサ９３０およびプロセッサ９７０は、基地局／順方向リンク送信機９１０およびモバイル・デバイス９５０それぞれにおける動作を指示（例えば、制御、調整、管理等）しうる。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００４５】
本明細書に記載された発明の態様は、ハードウェア、ソフトウェア、ファームウェア、ミドルウェア、マイクロコード、あるいはこれら任意の組み合わせで実現されることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００４６】
本発明の態様が、ソフトウェア、ファームウェア、ミドルウェアあるいはマイクロコード、プログラム・コードまたはコード・セグメントで実現される場合、これらは、例えば記憶装置のような機械読取可能記憶媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００４７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサの内部またはプロセッサの外部に実装される。プロセッサの外部に実装される場合、当該技術分野で周知のさまざまな手段によって、プロセッサへ通信可能に接続されうる。
【００４８】
図１０に移って、モバイル・デバイスのためのＩＰ接続を動的に管理するモバイル・アクセス・ゲートウェイ内に実装されるシステム１０００が例示される。図示するように、システム１０００は、プロセッサ、ソフトウェア、または（例えば、ファームウェアのような）これらの組み合わせによって実現される機能を表しうる。システム１０００は、ＩＰ接続を管理することを容易にする電子構成要素の論理グループ１０１０を含む。論理グループ１０１０は、第１のＩＰインタフェース・タイプを備える現在の通信セッションに第２のＩＰインタフェースを追加する要求をモバイル・デバイスから受信する手段１０２０を含みうる。さらに、論理グループ１０１０は、モバイル・デバイスのホーム・ネットワークからの、モバイル・デバイスによって要求された第２のＩＰインタフェース・タイプのＩＰアドレスのセットを要求する手段１０３０を含む。さらに、論理グループ１０１０は、ホーム・ネットワークから、第２のＩＰインタフェース・タイプのＩＰアドレスのセットを受信する手段１０４０を含む。それに加えて、論理グループ１０１０は、受信した１または複数のＩＰアドレスを用いて、第２のＩＰインタフェース・タイプの１または複数のＩＰフローを確立する手段１０５０を含む。最後に、論理グループ１０１０は、第２のＩＰインタフェース・タイプの１または複数のＩＰフローを、モバイル・デバイスの現在の通信セッションに関連付ける手段１０６０を含む。それに加えて、システム１０００は、電子構成要素１０２０−１０６０に関連付けられた機能を実行するための命令群を保持するメモリ１０７０を含みうる。メモリ１０７０の外側にあるとして示されているが、電子構成要素１０２０−１０６０は、メモリ１０７０内に存在しうることが理解されるべきである。
【００４９】
図１１は、本明細書に開示された方法にしたがって、ＩＰ接続を動的に追加および削除するように動作可能なモバイル・デバイス１１００の例が図示されている。モバイル・デバイス１１００は、本明細書に記載された構成要素および機能のうちの１または複数に関連付けられた処理機能を実行するプロセッサ１１１０を含む。プロセッサ１１１０は、単一のプロセッサまたはマルチコア・プロセッサであるか、あるいは、複数のプロセッサまたはマルチコア・プロセッサのセットでありうる。モバイル・デバイス１１００はさらに、プロセッサ１１１０に接続され、例えば、プロセッサ１１１０によって実行可能なアプリケーションのローカル・バージョンを格納するためのメモリ１１２０を含む。メモリ１１２０は、例えば、ランダム・アクセス・メモリ（ＲＡＭ）、読取専用メモリ（ＲＯＭ）、磁気ディスク、光ディスク、揮発性メモリ、不揮発性メモリ、およびこれらの任意の組み合わせのように、コンピュータによって使用可能な任意のタイプのメモリを含みうる。
【００５０】
さらに、モバイル・デバイス１１００は、プロセッサ１１１０に接続され、本明細書に記載されたように、ハードウェア、ソフトウェア、およびサービスを利用する１または複数のラジオ・アクセス・ネットワークとの通信を確立および維持する通信構成要素１１３０を含む。例えば、通信構成要素１１３０は、外部のラジオ・ネットワークやデバイスとインタフェースするよう動作可能な送信機および受信機に関連付けられた送信チェーン構成要素および受信チェーン構成要素を含む。それに加えて、モバイル・デバイス１１００はさらに、プロセッサ１１１０に接続されたデータ・ストア１１４０を含みうる。データ・ストア１１４０は、ハードウェアおよび／またはソフトウェアの任意の適切な組み合わせであり、本明細書に記載された発明の態様にしたがって適用される情報、データ・ベース、およびプログラムの大容量記憶装置を提供する。例えば、データ・ストア１１４０は、プロセッサ１１１０によって現在実行されていないアプリケーションのためのデータ・リポジトリでありうる。
【００５１】
モバイル・デバイス１１００は、モバイル・デバイス１１００のユーザからの入力を受け取るように動作可能で、さらに、ユーザに提示するための出力を生成するように動作可能で、かつ、プロセッサ１１１０に接続されたユーザ・インタフェース構成要素１１５０を含みうる。ユーザ・インタフェース構成要素１１５０は、限定される訳ではないが、キーボード、テンキー、マウス、タッチ画面、ナビゲーション・キー、ファンクション・キー、マイクロホン、音声認識構成要素、ユーザからの入力を受信可能なその他のメカニズム、あるいはこれらの任意の組み合わせを含む１または複数の入力デバイスを含むことができる。さらに、ユーザ・インタフェース構成要素１１５０は、限定される訳ではないが、ディスプレイ、スピーカ、触覚型フィードバック・メカニズム、プリンタ、ユーザに出力を提示することが可能なその他任意のメカニズム、またはこれらの任意の組み合わせを含む１または複数の出力デバイスを含むことができる。
【００５２】
一例である態様において、プロセッサ１１１０は、通信構成要素１１３０に対して、ＩＰＣＰ−Ｃｏｎｆｉｇ−Ｒｅｑメッセージおよび／またはＩＰｖ６ＣＰ−Ｃｏｎｆｉｇ−Ｒｅｑメッセージをモバイル・アクセス・ゲートウェイへ送信するように指示するように動作可能なＩＰアドレス要求モジュール１１６０を含む。プロセッサ１１００はまた、さまざまなＩＰインタフェース・タイプのための１または複数のＩＰフロー（例えば、ＲＬＰフロー）をアクセス・ラジオ・ネットワークとネゴシエートするように動作可能なＩＰ接続セットアップ・モジュール１１７０を含む。プロセッサ１１１０はさらに、通信構成要素１１３０に対して、ネゴシエートされたＩＰフローを介して、適切なローカル・モビリティ・アンカへパケットを送信するように指示するデータ送信モジュール１１３０を含みうる。プロセッサ１１１０はまた、通信構成要素１１３０に対して、モバイル・アクセス・ゲートウェイへ接続終了パケット・シーケンスを送信するように指示するＩＰ接続終了モジュールを含みうる。プロセッサ１１１０は、本明細書で開示された方法にしたがうＩＰ接続の動的管理を容易にするためのその他のモジュールを含みうる。
【００５３】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００５４】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００５５】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００５６】
先の開示が、本発明の実例となる態様を説明している一方、特許請求の範囲によって定義された本発明の説明された態様の範囲から逸脱することなくさまざまな変形および変更がなされうることが注目されるべきである。さらに、本発明の説明された態様の構成要素は、単数で記載または主張されているが、もしも単数への限定が明示的に述べられていないのであれば、複数が考慮される。さらに、もし別の方法で述べられていないのであれば、本発明の態様のすべてまたは一部は、本発明の別の態様のすべてまたは一部で利用されうる。
以下に、本願出願の当初の特許請求の範囲に記載された発明を付記する。
［Ｃ１］
モバイル通信のための方法であって、
第１のＩＰインタフェース・タイプに関連付けられた現在の通信セッションに、前記第１のインタフェース・タイプとは異なる第２のＩＰインタフェース・タイプを追加する要求を、モバイル・デバイスから受信することと、
前記モバイル・デバイスのホーム・ネットワークからの、前記第２のＩＰインタフェース・タイプのＩＰアドレスのセットを要求することと、
前記ホーム・ネットワークから、前記第２のＩＰインタフェース・タイプのＩＰアドレスのセットを受信することと、
前記モバイル・デバイスのために、前記受信した１または複数のＩＰアドレスを用いて、前記第２のＩＰインタフェース・タイプの１または複数のＩＰフローを確立することと、
前記第２のＩＰインタフェース・タイプの１または複数の新たな接続を、前記モバイル・デバイスの現在の通信セッションに関連付けることと
を備える方法。
［Ｃ２］
前記第１のＩＰインタフェース・タイプはＩＰｖ４インタフェース・タイプであり、前記第２のＩＰインタフェース・タイプはＩＰｖ６インタフェース・タイプであるＣ１に記載の方法。
［Ｃ３］
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたローカル・モビリティ・アンカ（ＬＭＡ）との間の少なくとも１つのプロキシ・モバイル・インターネット・プロトコル（ＰＭＩＰ）トンネルを含むＣ１に記載の方法。
［Ｃ４］
前記モバイル・デバイスの第１のＩＰインタフェース・タイプに関連付けられた現在の通信セッションに、前記第２のＩＰインタフェース・タイプを追加する要求を、前記モバイル・デバイスから受信することは、前記モバイル・デバイスからＩＰＣＰ−Ｃｏｎｆｉｇ−ＲｅｑメッセージおよびＩＰｖ６ＣＰ−Ｃｏｎｆｉｇ−Ｒｅｑメッセージのうちの１つのメッセージを受信することを含み、前記１つのメッセージは、前記第２のＩＰインタフェース・タイプのインジケータを含むＣ１に記載の方法。
［Ｃ５］
前記モバイル・デバイスのホーム・ネットワークからの、前記ＩＰアドレスのセットを要求することは、前記第２のＩＰインタフェース・タイプに関連付けられたベンダ特有オプションを有するプロキシ・バインディング・アップデート（ＰＢＵ）メッセージを生成することを含むＣ１に記載の方法。
［Ｃ６］
前記モバイル・デバイスのホーム・ネットワークからの、前記ＩＰアドレスのセットを要求することは、複数の標準的なホーム・ネットワーク・プレフィクス・オプションを有する拡張ＰＢＵメッセージを生成することを含み、前記複数の標準的なホーム・ネットワーク・プレフィクス・オプションのうちの少なくとも１つは、前記第１のＩＰインタフェース・タイプに関連付けられた全てのＩＰアドレスを識別し、前記複数の標準的なホーム・ネットワーク・プレフィクス・オプションのうちの少なくとも１つは、前記第２のＩＰインタフェース・タイプに関連付けられたＩＰアドレスのための全ゼロ値を含むＣ１に記載の方法。
［Ｃ７］
前記第２のＩＰインタフェース・タイプのＩＰフローを、前記現在の通信セッションに関連付けることは、前記接続を、前記現在の通信セッションのＰＭＩＰトンネルに関連付けることを含むＣ１に記載の方法。
［Ｃ８］
前記第２のＩＰインタフェース・タイプのＩＰフローを、前記現在の通信セッションに関連付けることは、
前記第２のＩＰインタフェースのための新たなＰＭＩＰトンネルを生成することと、
前記ＩＰフローを、前記新たなＰＭＩＰトンネルに関連付けることと
を含むＣ１に記載の方法。
［Ｃ９］
前記モバイル・デバイスから、１または複数のＩＰフローを終了させる要求を受信することと、
前記１または複数の終了したＩＰフローに関連付けられたＩＰアドレスを識別しているとともに、前記識別されたＩＰアドレスの期間パラメータをゼロに設定しているＰＢＵメッセージを生成することと、
前記生成されたＰＢＵメッセージを、前記モバイル・デバイスに関連付けられたＬＭＡへ送ることと、
前記終了したＩＰフローに関連付けられた１または複数のＩＰアドレスを解放することと、
前記ＰＭＩＰトンネルに関連付けられたアクティブなＩＰフローがもはや存在しない場合、前記終了したＩＰフローに関連付けられたＰＭＩＰトンネルを閉じることと
をさらに備えるＣ１に記載の方法。
［Ｃ１０］
前記モバイル・デバイスから、１または複数のＩＰフローを終了させる要求を受信することと、
アクティブなＩＰフローに関連付けられたＩＰアドレスを識別するものの、前記１または複数の終了したＩＰフローに関連付けられたＩＰアドレスを識別しないＰＢＵメッセージを生成することと、
前記生成されたＰＢＵメッセージを、前記モバイル・デバイスに関連付けられたＬＭＡに送ることと、
前記終了したＩＰフローに関連付けられた１または複数のＩＰアドレスを解放することと、
前記ＰＭＩＰトンネルに関連付けられたアクティブなＩＰフローがもはや存在しない場合、前記終了したＩＰフローに関連付けられたＰＭＩＰトンネルを閉じることと
をさらに備えるＣ１に記載の方法。
［Ｃ１１］
ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをＬＭＡから受信することと、
前記１または複数の識別されたＩＰアドレスを解放することと、
前記解放されたＩＰアドレスに関連付けられた１または複数のＩＰフローを終了させることと、
前記ＰＭＩＰトンネルに関連付けられたアクティブなＩＰフローがもはや存在しない場合、前記終了したＩＰフローに関連付けられたＰＭＩＰトンネルを閉じることと
をさらに備えるＣ１に記載の方法。
［Ｃ１２］
無線通信システムであて、
プロセッサと、前記プロセッサに接続された通信構成要素とを備え、
前記プロセッサは、
第１のＩＰインタフェース・タイプに関連付けられた現在の通信セッションに、前記第１のインタフェース・タイプとは異なる第２のＩＰインタフェース・タイプを追加する要求を、モバイル・デバイスから受信し、
前記モバイル・デバイスのホーム・ネットワークからの、前記第２のＩＰインタフェース・タイプのＩＰアドレスのセットを要求し、
前記ホーム・ネットワークから、前記第２のＩＰインタフェース・タイプのＩＰアドレスのセットを受信し、
前記モバイル・デバイスのために、前記受信した１または複数のＩＰアドレスを用いて、前記第２のＩＰインタフェース・タイプの１または複数のＩＰフローを確立し、
前記第２のＩＰインタフェース・タイプの１または複数のＩＰフローを、前記モバイル・デバイスの現在の通信セッションに関連付ける
ように構成された無線通信システム。
［Ｃ１３］
前記第１のＩＰインタフェース・タイプはＩＰｖ４インタフェース・タイプであり、前記第２のＩＰインタフェース・タイプはＩＰｖ６インタフェース・タイプであるＣ１２に記載の無線通信システム。
［Ｃ１４］
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたローカル・モビリティ・アンカ（ＬＭＡ）との間の少なくとも１つのプロキシ・モバイル・インターネット・プロトコル（ＰＭＩＰ）トンネルを含むＣ１２に記載の無線通信システム。
［Ｃ１５］
前記モバイル・デバイスの第１のＩＰインタフェース・タイプに関連付けられた現在の通信セッションに、前記第２のＩＰインタフェース・タイプを追加する要求を、前記モバイル・デバイスから受信するために、前記プロセッサはさらに、前記モバイル・デバイスからＩＰＣＰ−Ｃｏｎｆｉｇ−ＲｅｑメッセージおよびＩＰｖ６ＣＰ−Ｃｏｎｆｉｇ−Ｒｅｑメッセージのうちの１つのメッセージを受信するように構成され、前記１つのメッセージは、前記第２のＩＰインタフェース・タイプのインジケータを含むＣ１２に記載の無線通信システム。
［Ｃ１６］
前記モバイル・デバイスのホーム・ネットワークからの、前記ＩＰアドレスのセットを要求するために、前記プロセッサはさらに、前記第２のＩＰインタフェース・タイプを識別するベンダ特有オプションを有するプロキシ・バインディング・アップデート（ＰＢＵ）メッセージを生成するように構成されたＣ１２に記載の無線通信システム。
［Ｃ１７］
前記モバイル・デバイスのホーム・ネットワークからの、前記ＩＰアドレスのセットを要求するために、前記プロセッサはさらに、複数の標準的なホーム・ネットワーク・プレフィクス・オプションを有する拡張ＰＢＵメッセージを生成するように構成され、前記複数の標準的なホーム・ネットワーク・プレフィクス・オプションのうちの少なくとも１つは、前記第１のＩＰインタフェース・タイプに関連付けられた全てのＩＰアドレスを識別し、前記複数の標準的なホーム・ネットワーク・プレフィクス・オプションのうちの少なくとも１つは、前記第２のＩＰインタフェース・タイプに関連付けられたＩＰアドレスのための全ゼロ値を含むＣ１２に記載の無線通信システム。
［Ｃ１８］
前記第２のＩＰインタフェース・タイプのＩＰフローを、前記現在の通信セッションに関連付けるために、前記プロセッサはさらに、前記ＩＰフローを、前記現在の通信セッションのＰＭＩＰトンネルに関連付けるように構成されたＣ１２に記載の無線通信システム。
［Ｃ１９］
前記第２のＩＰインタフェース・タイプのＩＰフローを、前記現在の通信セッションに関連付けるために、前記プロセッサはさらに、前記第２のＩＰインタフェースのための新たなＰＭＩＰトンネルを生成し、前記ＩＰフローを、前記新たなＰＭＩＰトンネルに関連付けるように構成されたＣ１２に記載の無線通信システム。
［Ｃ２０］
前記プロセッサはさらに、
前記モバイル・デバイスから、１または複数のＩＰフローを終了させる要求を受信し、
前記１または複数の終了したＩＰフローに関連付けられたＩＰアドレスを識別しているとともに、前記識別されたＩＰアドレスの期間パラメータをゼロに設定しているＰＢＵメッセージを生成し、
前記生成されたＰＢＵメッセージを、前記モバイル・デバイスに関連付けられたＬＭＡへ送り、
前記終了したＩＰフローに関連付けられた１または複数のＩＰアドレスを解放し、
前記ＰＭＩＰトンネルに関連付けられたアクティブなＩＰフローがもはや存在しない場合、前記終了したＩＰフローに関連付けられたＰＭＩＰトンネルを閉じる
ように構成されたＣ１２に記載の無線通信システム。
［Ｃ２１］
前記プロセッサはさらに、
前記モバイル・デバイスから、１または複数のＩＰフローを終了させる要求を受信し、
アクティブなＩＰフローに関連付けられたＩＰアドレスを識別するものの、前記１または複数の終了したＩＰフローに関連付けられたＩＰアドレスを識別しないＰＢＵメッセージを生成し、
前記生成されたＰＢＵメッセージを、前記モバイル・デバイスに関連付けられたＬＭＡに送り、
前記終了したＩＰフローに関連付けられた１または複数のＩＰアドレスを解放し、
前記ＰＭＩＰトンネルに関連付けられたアクティブなＩＰフローがもはや存在しない場合、前記終了したＩＰフローに関連付けられたＰＭＩＰトンネルを閉じる
ように構成されたＣ１２に記載の無線通信システム。
［Ｃ２２］
前記プロセッサはさらに、
ＩＰアドレスの選択的な解放を示す取消トリガ・オプションを備えた拡張バインディング取消インジケーション（ＢＲＩ）メッセージと、解放されるべき１または複数のＩＰアドレスを識別するモビリティ・オプションとをＬＭＡから受信し、
前記１または複数の識別されたＩＰアドレスを解放し、
前記解放されたＩＰアドレスに関連付けられた１または複数のＩＰフローを終了させ、
前記ＰＭＩＰトンネルに関連付けられたアクティブなＩＰフローがもはや存在しない場合、前記終了したＩＰフローに関連付けられたＰＭＩＰトンネルを閉じる
ように構成されたＣ１２に記載の無線通信システム。
［Ｃ２３］
コンピュータ読取可能媒体を備えるコンピュータ・プログラム製品であって、
前記コンピュータ読取可能媒体は、
モバイル・デバイスの第１のＩＰインタフェース・タイプに関連付けられた現在の通信セッションに、前記第１のインタフェース・タイプとは異なる第２のＩＰインタフェース・タイプを追加する要求を、コンピュータに対して、前記モバイル・デバイスから受信させるための第１のコード・セットと、
コンピュータに対して、前記モバイル・デバイスのホーム・ネットワークからの、前記モバイル・デバイスによって要求された前記第２のＩＰインタフェース・タイプのＩＰアドレスのセットを要求させるための第２のコード・セットと、
コンピュータに対して、前記ホーム・ネットワークから、前記第２のＩＰインタフェース・タイプのＩＰアドレスのセットを受信させるための第３のコード・セットと、
コンピュータに対して、前記受信した１または複数のＩＰアドレスを用いて、前記モバイル・デバイスの前記第２のＩＰインタフェース・タイプの１または複数のＩＰフローを確立させるための第４のコード・セットと、
コンピュータに対して、前記第２のＩＰインタフェース・タイプの１または複数のＩＰフローを、前記モバイル・デバイスの現在の通信セッションに関連付けさせるための第５のコード・セットと
を備えるコンピュータ・プログラム製品。
［Ｃ２４］
前記第１のＩＰインタフェース・タイプはＩＰｖ４インタフェース・タイプであり、前記第２のＩＰインタフェース・タイプはＩＰｖ６インタフェース・タイプであるＣ２３に記載のコンピュータ・プログラム製品。
［Ｃ２５］
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたローカル・モビリティ・アンカ（ＬＭＡ）との間の少なくとも１つのプロキシ・モバイル・インターネット・プロトコル（ＰＭＩＰ）トンネルを含むＣ２３に記載のコンピュータ・プログラム製品。
［Ｃ２６］
装置であって、
モバイル・デバイスの第１のＩＰインタフェース・タイプに関連付けられた現在の通信セッションに、前記第１のインタフェース・タイプとは異なる第２のＩＰインタフェース・タイプを追加する要求を、前記モバイル・デバイスから受信する手段と、
前記モバイル・デバイスのホーム・ネットワークからの、前記モバイル・デバイスによって要求された前記第２のＩＰインタフェース・タイプのＩＰアドレスのセットを要求する手段と、
前記ホーム・ネットワークから、前記第２のＩＰインタフェース・タイプのＩＰアドレスのセットを受信する手段と、
前記受信した１または複数のＩＰアドレスを用いて、前記モバイル・デバイスの前記第２のＩＰインタフェース・タイプの１または複数のＩＰフローを確立する手段と、
前記第２のＩＰインタフェース・タイプの１または複数のＩＰフローを、前記モバイル・デバイスの現在の通信セッションに関連付ける手段と
を備える装置。
［Ｃ２７］
前記第１のＩＰインタフェース・タイプはＩＰｖ４インタフェース・タイプであり、前記第２のＩＰインタフェース・タイプはＩＰｖ６インタフェース・タイプであるＣ２６に記載の装置。
［Ｃ２８］
前記現在の通信セッションは、前記モバイル・デバイスが現在接続されている外部ネットワークに関連付けられたモバイル・アクセス・ゲートウェイ（ＭＡＧ）と、前記モバイル・デバイスのホーム・ネットワークに関連付けられたローカル・モビリティ・アンカ（ＬＭＡ）との間の少なくとも１つのプロキシ・モバイル・インターネット・プロトコル（ＰＭＩＰ）トンネルを含むＣ２６に記載の装置。
【図１】
0005559182.tif 000002
【図２】
0005559182.tif 000003
【図３】
0005559182.tif 000004
【図４】
0005559182.tif 000005
【図５】
0005559182.tif 000006
【図６】
0005559182.tif 000007
【図７】
0005559182.tif 000008
【図８】
0005559182.tif 000009
【図９】
0005559182.tif 000010
【図１０】
0005559182.tif 000011
【図１１】
0005559182.tif 000012